(57)【特許請求の範囲】
【請求項１】
送風手段と異物混入防止用の格子が配設された吐風口との間にヒーターブロックを配置しているヘアドライヤーにおいて、ヒーターブロックは十字型に組み合わせた２枚のヒーター基板にヒーター線を巻きつけたものとして形成されており、吐風口に配された格子の背面に前端を当接させている上記ヒーター基板は格子との間に送風手段から送られてくる旋回した風を流すための埃堆積防止用の隙間を形成する切り欠きを前端の一部に備えていると共に、ヒーター基板は前面から見て格子の桟と重ならない位置に配されており、上記２枚のヒーター基板のうち、一方のヒーター基板の前端側の中央部に電子部品を固定し、他方のヒータ基板の前端中央部に上記電子部品を避けるための別の切り欠きを備えると共に該別の切り欠きの両端を格子に接するようにしたことを特徴とするヘアドライヤー。
【請求項２】
少なくとも１枚のヒーター基板はその前端が格子の中央部背面に接していることを特徴とする請求項１記載のヘアドライヤー。
【請求項３】
ヒーター基板はその前端が格子側ほど厚みが薄くなる断面形状となっていることを特徴とする請求項１または２記載のヘアドライヤー。
【請求項４】
各ヒーター基板に設けた埃堆積防止用の隙間を形成する切り欠きは同心円上に位置していることを特徴とする請求項１〜３のいずれかの項に記載のヘアドライヤー。
【発明の詳細な説明】
【０００１】
【発明の属する技術分野】
本発明は毛髪乾燥用のヘアドライヤー、殊にヒーター基板に関するものである。
【０００２】
【従来の技術】
ヘアドライヤーでは、送風手段で送り出す風の通路にヒーターを配置することで温風を吐出している。また、ヘアドライヤーの吐風口には、安全のために格子を配置したものが一般的である。この場合、図６に示すように、十字型に組み合わせた２枚のヒーター基板３１，３２の先端面を格子１５の背面に接触させることで、格子１５をヒーター基板３１，３２で支持する構造としたものが多い。
【０００３】
【発明が解決しようとする課題】
しかし、この場合、長年の使用によって図７に示すように、ヒーター基板３１，３２と格子１５との間に埃９が堆積してしまう。これはドライヤーの風がその軸に対して真っ直ぐな風ではなく、ファンの回転方向に旋回しているために生じるのであるが、このような状態となれば、風量低下や風温上昇といった安全上非常に好ましくない。
【０００４】
もちろん、図８に示すように、ヒーター基板３１，３２の先端面と格子１５との間に間隔をおけば、上記のような埃の堆積は生じないのであるが、格子１５自体の強度を十分にあげなくてはならなくなる。これは格子１５の厚みを大きくすることになり、コスト上昇や加工困難という問題が別に生じる。
【０００５】
本発明はこのような点に鑑みなされたものであって、その目的とするところは吐風口での埃の堆積を防ぎつつコスト上昇も防ぐことができるヘアドライヤーを提供するにある。
【０００６】
【課題を解決するための手段】
しかして本発明は、送風手段と異物混入防止用の格子が配設された吐風口との間にヒーターブロックを配置しているヘアドライヤーにおいて、ヒーターブロックは十字型に組み合わせた２枚のヒーター基板にヒーター線を巻きつけたものとして形成されており、吐風口に配された格子の背面に前端を当接させている上記ヒーター基板は格子との間に送風手段から送られてくる旋回した風を流すための埃堆積防止用の隙間を形成する切り欠きを前端の一部に備えていると共に、ヒーター基板は前面から見て格子の桟と重ならない位置に配されており、上記２枚のヒータ基板のうち、一方のヒーター基板の前端側の中央部に電子部品を固定し、他方のヒータ基板の前端中央部に上記電子部品を回避するための別の切り欠きを備えると共に該別の切り欠きの両端を格子に接するようにしたことに特徴を有している。隙間を通じて風が流れるために埃が堆積しにくいものである。さらにヒーター基板は前面から見て格子の桟と重ならない位置に配しておくことが、埃の堆積防止の点で好ましい。
【０００７】
この時、少なくとも１枚のヒーター基板はその前端が格子の中央部背面に接していることが好ましい。強度的にもっとも弱い格子中央部の補強を確実に行うことができる。
【０００８】
また、ヒーター基板はその前端が格子側ほど厚みが薄くなる断面形状となっていることが埃の堆積防止の点で好ましく、各ヒーター基板に設けた埃堆積防止用の隙間を形成する切り欠きは同心円上に位置させておくことが埃の堆積量のばらつきを防ぐ点で好ましい。
【０００９】
【発明の実施の形態】
以下本発明を実施の形態の一例に基づいて詳述すると、図１に示すヘアドライヤー１は、円筒状の主ハウジング１０と、この主ハウジング１０に軸１９によって回動自在に連結されているグリップ部１２、主ハウジング１０の後端部に連結されて吸い込み口カバー１６を保持している後部ハウジング１３、主ハウジング１０前端に配されて吐風口に異物混入防止用の格子１５を位置させるリング１４で外殻が構成されたもので、主ハウジング１０後部内には風洞１１が配設されており、風洞１１内にモータ２によって駆動されるファン２０が配設されている。図中２５はスイッチである。
【００１０】
主ハウジング１０の前部内にはヒーターブロック３が配設されている。このヒーターブロック３は、側縁にヒーター線取付溝３３を備えた複数枚のヒーター基板３１，３２を放射状に組み合わせる（図示例では２枚を十字型に組み合わせる）とともに、上記ヒーター線取付溝３３を利用してヒーター線３４を巻回したもので、金属製の耐熱筒４を介して主ハウジング１０内に配設されている。
【００１１】
そして、ヒーターブロック３におけるヒーター基板３１，３２の前端は上記格子１５の背面に接することで格子１５の補強を行っているのであるが、ヒーター基板３１，３２前端の中央よりも側端側の位置には切り欠き３６を設けて、格子１５との間に１ｍｍほどの隙間をあけている。なお、都合４つの切り欠き３６は同心円上に並ぶようにしている。
【００１２】
このものにおいては、ファン２０から送られてくる旋回している風が切り欠き３６で生じた隙間を通じて流れるために、格子１５との間に埃が堆積することがなく、しかも格子１５の補強をヒーター基板３１，３２によって行うことができる。なお、切り欠き３６による埃堆積防止用の隙間は上述のように１ｍｍほどでよく、これ以上大きくしては格子１５の補強の点で問題が生じる。
【００１３】
また、一方のヒーター基板３２はその前端側の片面中央部にサーモスタットである電子部品３５を固定しており、他方のヒータ基板３２はこの電子部品３５を避けるための切り欠き３７を前端中央部に備えている。周縁がリング１４によって主ハウジング１０に固定される格子１５は、その中央部がもっとも強度的に弱いことになる上に、中心部は埃がほとんど堆積しないために、上記切り欠き３７は本来的には無いほうが好ましいのであるが、サーモスタットである電子部品３５の配置の都合上、設けたものであり、このために切り欠き３７は電子部品３５とヒーター基板３１とが接触しない範囲でもっとも小さいものとし、切り欠き３７の両端は格子１５に接するようにしている。
【００１４】
さらにヒーター基板３１，３２の前端縁は図４に示すように格子１５側ほど厚みが薄くなる形状、図示例では丸めた断面形状をもつようにしている。埃が引っかかりにくく、従ってヒーター基板３１，３２と格子１５との間に埃が堆積しにくくなるからである。
【００１５】
図５に示すように、前面から見て格子１５の桟とヒーター基板３１，３２とが重ならないようにしておけば、さらに埃の堆積防止という点で好ましいものとなる。
【００１６】
【発明の効果】
以上のように本発明においては、送風手段と異物混入防止用の格子が配設された吐風口との間にヒーターブロックを配置しているヘアドライヤーにおいて、ヒーターブロックは十字型に組み合わせた２枚のヒーター基板にヒーター線を巻きつけたものとして形成されており、吐風口に配された格子の背面に前端を当接させている上記ヒーター基板は格子との間に送風手段から送られてくる旋回した風を流すための埃堆積防止用の隙間を形成する切り欠きを前端の一部に備えているために、送風手段から送られてくる旋回した風は隙間を通じて流れるものであり、このためにヒーター基板が格子に接することで格子の補強を行えるものであるにもかかわらず、格子とヒーター基板との間に埃が堆積しにくいものである。さらに、ヒーター基板は前面から見て格子の桟と重ならない位置に配されており、そのうえ上記十字型に組み合わせた２枚のヒーター基板のうち、一方のヒーター基板の前端側の中央部に電子部品を固定し、他方のヒータ基板の前端中央部に上記電子部品を避けるための別の切り欠きを備えると共に該別の切り欠きの両端を格子に接するようにしたので、埃の堆積防止をより確実に行うことができる。
【００１７】
この時、少なくとも１枚のヒーター基板はその前端が格子の中央部背面に接していると、強度的にもっとも弱い格子中央部の補強を確実に行うことができる。
【００１８】
また、ヒーター基板はその前端が格子側ほど厚みが薄くなる断面形状としておくことで、埃の堆積防止をさらに確実なものとすることができる。
【００１９】
また、各ヒーター基板に設けた埃堆積防止用の隙間を形成する切り欠きは同心円上に位置させておくと、埃の堆積量のばらつきが生じない。
【図面の簡単な説明】
【図１】  本発明の実施の形態の一例を示す縦断面図である。
【図２】  同上の拡大縦断面図である。
【図３】  同上の拡大水平断面図である。
【図４】  同上のヒーター基板の前端部の断面図である。
【図５】  同上の正面図である。
【図６】  従来例の縦断面図である。
【図７】  同上の埃の堆積を示す正面図である。
【図８】  他の従来例の断面図である。
【符号の説明】
３  ヒーターブロック
１５  格子
３１  ヒーター基板
３２  ヒーター基板
３４  ヒーター線
３６  格子との間に隙間を形成するための切り欠き
３７  電子部品を避けるための別の切り欠き
【図１】
0004361630.tif 000002
【図２】
0004361630.tif 000003
【図３】
0004361630.tif 000004
【図４】
0004361630.tif 000005
【図５】
0004361630.tif 000006
【図６】
0004361630.tif 000007
【図７】
0004361630.tif 000008
【図８】
0004361630.tif 000009